(57)【要約】【課題】音声データの送信を制限し、ネットワークにより伝送されるデータ量を抑制する電子会議システムを提供する。【解決手段】電子会議システム５は、第１の拠点に設けられ、第１の映像データおよび第１の音声データを出力する情報処理装置２００Ａと、第１の拠点に設けられ、第１の映像データおよび第１の音声データを再生するプロジェクター装置１００Ａと、第２の拠点に設けられた情報処理装置２００Ｃと、第２の拠点に設けられたプロジェクター装置１００Ｂと、を備え、情報処理装置２００Ａは、第１の映像データを出力する場合、プロジェクター装置１００Ａには第１の音声データを出力せず、プロジェクター装置１００Ｂに第１の音声データを出力し、情報処理装置２００Ｃは、第２の映像データを出力する場合、プロジェクター装置１００Ｂには第２の音声データを出力せず、プロジェクター装置１００Ａに第２の音声データを出力する。【選択図】図１
2018164203.tif 000002
【特許請求の範囲】
【請求項１】
第１の拠点及び第２の拠点の間で会議を行う電子会議システムであって、
前記第１の拠点に設けられ、第１の映像データおよび第１の音声データを出力する第１の出力装置と、
前記第２の拠点に設けられ、第２の映像データおよび第２の音声データを出力する第２の出力装置と、
前記第１の拠点に設けられ、前記第１の映像データ、前記第２の映像データおよび前記第２の音声データを再生する第１の再生装置と、
前記第２の拠点に設けられ、前記第１の映像データ、前記第２の映像データおよび前記第１の音声データを再生する第２の再生装置と、を備え、
前記第１の出力装置は、前記第１の再生装置および前記第２の再生装置に前記第１の映像データを出力する場合、前記第１の再生装置には前記第１の音声データを出力せず、前記第２の再生装置に前記第１の音声データを出力し、
前記第２の出力装置は、前記第１の再生装置および前記第２の再生装置に前記第２の映像データを出力する場合、前記第２の再生装置には前記第２の音声データを出力せず、前記第１の再生装置に前記第２の音声データを出力することを特徴とする電子会議システム。
【請求項２】
請求項１に記載の電子会議システムにおいて、
前記第１の拠点に設けられ、第３の映像データおよび第３の音声データを出力する第３の出力装置と、
前記第２の拠点に設けられ、第４の映像データおよび第４の音声データを出力する第４の出力装置と、を備え、
前記第３の出力装置は、前記第１の再生装置および前記第２の再生装置に前記第３の映像データを出力する場合、前記第１の再生装置には前記第３の音声データを出力せず、前記第２の再生装置に前記第３の音声データを出力し、
前記第４の出力装置は、前記第１の再生装置および前記第２の再生装置に前記第４の映像データを出力する場合、前記第２の再生装置には前記第４の音声データを出力せず、前記第１の再生装置に前記第４の音声データを出力することを特徴とする電子会議システム。
【請求項３】
請求項１乃至２のいずれかに記載の電子会議システムにおいて、
前記第１の出力装置および前記第２の出力装置は、前記第１の出力装置および前記第２の出力装置から前記第１の再生装置および前記第２の再生装置までのそれぞれの距離を示す位置情報に基づいて、前記第１の再生装置および前記第２の再生装置に対して出力するデータをそれぞれ決定することを特徴とする電子会議システム。
【請求項４】
請求項３に記載の電子会議システムにおいて、
前記第１の出力装置および前記第２の出力装置は、前記位置情報が示す前記距離が基準距離よりも遠いと判定した場合、前記映像データおよび前記音声データの出力を決定し、前記距離が前記基準距離よりも近いと判定した場合、前記映像データの出力および前記音声データの非出力を決定することを特徴とする電子会議システム。
【請求項５】
請求項３乃至４のいずれかに記載の電子会議システムにおいて、
前記第１の出力装置および前記第２の出力装置は、前記第１の再生装置と前記第２の再生装置との近距離無線通信による通信結果に基づいて、前記位置情報を決定することを特徴とする電子会議システム。
【請求項６】
請求項３乃至４のいずれかに記載の電子会議システムにおいて、
前記第１の出力装置および前記第２の出力装置は、前記第１の再生装置および前記第２の再生装置に対して送信したパケットの生存時間に基づいて、前記位置情報を決定することを特徴とする電子会議システム。
【請求項７】
請求項３乃至４のいずれかに記載の電子会議システムにおいて、
前記第１の出力装置および前記第２の出力装置は、前記第１の再生装置および前記第２の再生装置に対して設定されたネットワークアドレスに基づいて、前記位置情報を決定することを特徴とする電子会議システム。
【請求項８】
請求項３乃至４のいずれかに記載の電子会議システムにおいて、
前記第１の出力装置および前記第２の出力装置は、前記第１の再生装置と前記第２の再生装置との間でネットワークを介して接続されたアクセスポイントに基づいて、前記位置情報を決定することを特徴とする電子会議システム。
【請求項９】
第１の拠点及び第２の拠点の間で会議を行う電子会議システムを制御する制御方法であって、
前記第１の拠点に設けられた第１の出力装置から、第１の映像データおよび第１の音声データを出力し、
前記第２の拠点に設けられた第２の出力装置から、第２の映像データおよび第２の音声データを出力し、
前記第１の拠点に設けられた第１の再生装置によって、前記第１の映像データ、前記第２の映像データおよび前記第２の音声データを再生し、
前記第２の拠点に設けられた第２の再生装置によって、前記第１の映像データ、前記第２の映像データおよび前記第１の音声データを再生し、
前記第１の出力装置から前記第１の再生装置および前記第２の再生装置に前記第１の映像データを出力する場合、前記第１の出力装置から前記第１の再生装置には前記第１の音声データを出力せず、前記第１の出力装置から前記第２の再生装置に前記第１の音声データを出力し、
前記第２の出力装置から前記第１の再生装置および前記第２の再生装置に前記第２の映像データを出力する場合、前記第２の出力装置から前記第２の再生装置には前記第２の音声データを出力せず、前記第２の出力装置から前記第１の再生装置に前記第２の音声データを出力することを特徴とする制御方法。
【請求項１０】
第１の拠点及び第２の拠点の間で会議を行う電子会議システムにおいて、前記第１の拠点に設けられたコンピューターを制御するプログラムであって、
前記プログラムは、前記コンピューターに、
第１の映像データおよび第１の音声データを出力させ、
前記第１の拠点に設けられた第１の再生装置及び前記第２の拠点に設けられた第２の再生装置に前記第１の映像データを出力する場合、前記第１の再生装置には前記第１の音声データを出力させることなく、前記第２の再生装置に前記第１の音声データを出力させることを特徴とするプログラム。
【請求項１１】
映像データおよび音声データを出力する出力装置と、前記映像データおよび前記音声データを再生する再生装置とを用いた電子会議システムであって、
前記出力装置は、前記再生装置の位置に基づいて前記出力装置から前記再生装置までの距離を判定し、前記距離が基準距離よりも遠いと判定した場合、前記再生装置に前記映像データと前記音声データとを出力し、前記距離が前記基準距離よりも近いと判定した場合、前記再生装置に前記音声データを出力せず、前記映像データを出力することを特徴とする電子会議システム。
【請求項１２】
映像データおよび音声データを出力する出力装置と、前記映像データおよび前記音声データを再生する再生装置とを用いた電子会議を制御する制御方法であって、
前記出力装置と前記再生装置との位置を決定し、
前記位置に基づいて、前記出力装置と前記再生装置との距離を判定し、
前記出力装置と前記再生装置との距離が基準距離よりも遠いと判定した場合、前記出力装置は前記再生装置に前記映像データと前記音声データとを出力し、
前記出力装置と前記再生装置との距離が前記基準距離よりも近いと判定した場合、前記出力装置は前記再生装置に前記音声データを出力せず、前記映像データを出力することを特徴とする制御方法。
【請求項１３】
映像データおよび音声データを出力する出力装置と、前記映像データおよび前記音声データを再生する再生装置とを用いた電子会議を制御するプログラムであって、
前記出力装置と前記再生装置との位置を決定する機能と、
前記位置に基づいて、前記出力装置と前記再生装置との距離を判定する機能と、
前記出力装置と前記再生装置との距離が基準距離よりも遠いと判定した場合、前記出力装置は前記再生装置に前記映像データと前記音声データとを出力する機能と、
前記出力装置と前記再生装置との距離が前記基準距離よりも近いと判定した場合、前記出力装置は前記再生装置に前記音声データを出力せず、前記映像データを出力する機能と、をコンピューターに実行させることを特徴とするプログラム。
【発明の詳細な説明】
【技術分野】
【０００１】
本発明は、電子会議システム、制御方法およびプログラムに関する。
【背景技術】
【０００２】
遠隔地の拠点との間において、参加者が携帯する電子端末や会議室のプロジェクター装置に発表用の資料を表示させ、音声を拠点間でやり取りする電子会議システムが知られている。例えば、電子端末のマイクは発言者が発した音声を拾って音声データとして信号化し、信号化した音声データがネットワークを介して他の電子端末やプロジェクター装置に配信され、配信先の電子端末やプロジェクター装置がスピーカーから音声を再生する。このような場合、下記特許文献１には、発言者の電子端末と同じ区域にあるプロジェクター装置はスピーカーから音声を再生させないことで、ハウリングの発生を抑制する技術が開示されている。
【先行技術文献】
【特許文献】
【０００３】
【特許文献１】特開２００８−２９４８０６号公報
【発明の概要】
【発明が解決しようとする課題】
【０００４】
しかしながら、開示された技術では、電子端末と同じ区域のプロジェクター装置に対しても音声データは配信され、プロジェクター装置が音声データを再生するか、否かを判定するため、再生されない音声データであってもネットワークを介して送信されることから、ネットワーク上を伝送されるデータ量が増大するという問題があった。
本発明は、上述の課題に鑑みてなされたものであり、電子会議において、音声データの送信を制限し、ネットワークを介して伝送されるデータ量を抑制することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる電子会議システムは、第１の拠点及び第２の拠点の間で会議を行う電子会議システムであって、前記第１の拠点に設けられ、第１の映像データおよび第１の音声データを出力する第１の出力装置と、前記第２の拠点に設けられ、第２の映像データおよび第２の音声データを出力する第２の出力装置と、前記第１の拠点に設けられ、前記第１の映像データ、前記第２の映像データおよび前記第２の音声データを再生する第１の再生装置と、前記第２の拠点に設けられ、前記第１の映像データ、前記第２の映像データおよび前記第１の音声データを再生する第２の再生装置と、を備え、前記第１の出力装置は、前記第１の再生装置および前記第２の再生装置に前記第１の映像データを出力する場合、前記第１の再生装置には前記第１の音声データを出力せず、前記第２の再生装置に前記第１の音声データを出力し、前記第２の出力装置は、前記第１の再生装置および前記第２の再生装置に前記第２の映像データを出力する場合、前記第２の再生装置には前記第２の音声データを出力せず、前記第１の再生装置に前記第２の音声データを出力することを特徴とする。
【０００７】
このような構成によれば、出力装置は、異なる拠点の再生装置に対しては、映像データと音声データとを出力し、同じ拠点の再生装置に対しては、音声データは出力せずに映像データを出力する。従って、電子会議において、同じ拠点の再生装置には音声データが出力されないため、伝送されるデータ量を減少させることができる。
【０００８】
［適用例２］
上記適用例にかかる電子会議システムにおいて、前記第１の拠点に設けられ、第３の映像データおよび第３の音声データを出力する第３の出力装置と、前記第２の拠点に設けられ、第４の映像データおよび第４の音声データを出力する第４の出力装置と、を備え、前記第３の出力装置は、前記第１の再生装置および前記第２の再生装置に前記第３の映像データを出力する場合、前記第１の再生装置には前記第３の音声データを出力せず、前記第２の再生装置に前記第３の音声データを出力し、前記第４の出力装置は、前記第１の再生装置および前記第２の再生装置に前記第４の映像データを出力する場合、前記第２の再生装置には前記第４の音声データを出力せず、前記第１の再生装置に前記第４の音声データを出力しても良い。
【０００９】
［適用例３］
上記適用例にかかる電子会議システムにおいて、前記第１の出力装置および前記第２の出力装置は、前記第１の出力装置および前記第２の出力装置から前記第１の再生装置および前記第２の再生装置までのそれぞれの距離を示す位置情報に基づいて、前記第１の再生装置および前記第２の再生装置に対して出力するデータをそれぞれ決定することが好ましい。
【００１０】
このような構成によれば、出力装置から再生装置までの距離に基づいて、出力するデータを決定できるため、距離を基準として出力するデータを決定できる。
【００１１】
［適用例４］
上記適用例にかかる電子会議システムにおいて、前記第１の出力装置および前記第２の出力装置は、前記位置情報が示す前記距離が基準距離よりも遠いと判定した場合、前記映像データおよび前記音声データの出力を決定し、前記距離が前記基準距離よりも近いと判定した場合、前記映像データの出力および前記音声データの非出力を決定することが好ましい。
【００１２】
このような構成によれば、出力装置から再生装置までの距離が基準距離よりも近い場合、音声データを出力しないため、ハウリングの発生を抑制できる。
【００１３】
［適用例５］
上記適用例にかかる電子会議システムにおいて、前記第１の出力装置および前記第２の出力装置は、前記第１の再生装置と前記第２の再生装置との近距離無線通信による通信結果に基づいて、前記位置情報を決定しても良い。
【００１４】
［適用例６］
上記適用例にかかる電子会議システムにおいて、前記第１の出力装置および前記第２の出力装置は、前記第１の再生装置および前記第２の再生装置に対して送信したパケットの生存時間に基づいて、前記位置情報を決定しても良い。
【００１５】
［適用例７］
上記適用例にかかる電子会議システムにおいて、前記第１の出力装置および前記第２の出力装置は、前記第１の再生装置および前記第２の再生装置に対して設定されたネットワークアドレスに基づいて、前記位置情報を決定しても良い。
【００１６】
［適用例８］
上記適用例にかかる電子会議システムにおいて、前記第１の出力装置および前記第２の出力装置は、前記第１の再生装置と前記第２の再生装置との間でネットワークを介して接続されたアクセスポイントに基づいて、前記位置情報を決定しても良い。
【００１７】
［適用例９］
本適用例にかかる制御方法は、第１の拠点及び第２の拠点の間で会議を行う電子会議システムを制御する制御方法であって、前記第１の拠点に設けられた第１の出力装置から、第１の映像データおよび第１の音声データを出力し、前記第２の拠点に設けられた第２の出力装置から、第２の映像データおよび第２の音声データを出力し、前記第１の拠点に設けられた第１の再生装置によって、前記第１の映像データ、前記第２の映像データおよび前記第２の音声データを再生し、前記第２の拠点に設けられた第２の再生装置によって、前記第１の映像データ、前記第２の映像データおよび前記第１の音声データを再生し、前記第１の出力装置から前記第１の再生装置および前記第２の再生装置に前記第１の映像データを出力する場合、前記第１の出力装置から前記第１の再生装置には前記第１の音声データを出力せず、前記第１の出力装置から前記第２の再生装置に前記第１の音声データを出力し、前記第２の出力装置から前記第１の再生装置および前記第２の再生装置に前記第２の映像データを出力する場合、前記第２の出力装置から前記第２の再生装置には前記第２の音声データを出力せず、前記第２の出力装置から前記第１の再生装置に前記第２の音声データを出力することを特徴とする。
【００１８】
このような方法によれば、出力装置は、異なる拠点の再生装置に対しては、映像データと音声データとを出力し、同じ拠点の再生装置に対しては、音声データは出力せずに映像データを出力する。従って、電子会議において、同じ拠点の再生装置には音声データが出力されないため、伝送されるデータ量を減少させることができる。
【００１９】
［適用例１０］
本適用例にかかるプログラムは、第１の拠点及び第２の拠点の間で会議を行う電子会議システムにおいて、前記第１の拠点に設けられたコンピューターを制御するプログラムであって、前記プログラムは、前記コンピューターに、第１の映像データおよび第１の音声データを出力させ、前記第１の拠点に設けられた第１の再生装置及び前記第２の拠点に設けられた第２の再生装置に前記第１の映像データを出力する場合、前記第１の再生装置には前記第１の音声データを出力させることなく、前記第２の再生装置に前記第１の音声データを出力させることを特徴とする。
【００２０】
このような機能によれば、出力装置は、異なる拠点の再生装置に対しては、映像データと音声データとを出力し、同じ拠点の再生装置に対しては、音声データは出力せずに映像データを出力する。従って、電子会議において、同じ拠点の再生装置には音声データが出力されないため、伝送されるデータ量を減少させることができる。
【００２１】
［適用例１１］
本適用例にかかる電子会議システムは、映像データおよび音声データを出力する出力装置と、前記映像データおよび前記音声データを再生する再生装置とを用いた電子会議システムであって、前記出力装置は、前記再生装置の位置に基づいて前記出力装置から前記再生装置までの距離を判定し、前記距離が基準距離よりも遠いと判定した場合、前記再生装置に前記映像データと前記音声データとを出力し、前記距離が前記基準距離よりも近いと判定した場合、前記再生装置に前記音声データを出力せず、前記映像データを出力することを特徴とする。
【００２２】
このような構成によれば、出力装置は、基準距離よりも遠い距離の再生装置に対しては、映像データと音声データとを出力し、基準距離よりも近い距離の再生装置に対しては、音声データは出力せずに映像データを出力する。従って、電子会議において、近い距離に所在する再生装置には音声データが出力されないため、出力装置から出力されるデータ量を減少させることができる。
【００２３】
［適用例１２］
本適用例にかかる制御方法は、映像データおよび音声データを出力する出力装置と、前記映像データおよび前記音声データを再生する再生装置とを用いた電子会議を制御する制御方法であって、前記出力装置と前記再生装置との位置情報を決定し、前記位置情報に基づいて、前記出力装置と前記再生装置との距離を判定し、前記出力装置と前記再生装置との距離が基準距離よりも遠いと判定した場合、前記出力装置は前記再生装置に前記映像データと前記音声データとを出力し、前記出力装置と前記再生装置との距離が前記基準距離よりも近いと判定した場合、前記出力装置は前記再生装置に前記音声データを出力せず、前記映像データを出力することを特徴とする。
【００２４】
このような方法によれば、出力装置は、基準距離よりも遠い距離の再生装置に対しては、映像データと音声データとを出力し、基準距離よりも近い距離の再生装置に対しては、音声データは出力せずに映像データを出力する。従って、電子会議において、近い距離に所在する再生装置には音声データが出力されないため、出力装置から出力されるデータ量を減少させることができる。
【００２５】
［適用例１３］
本適用例にかかるプログラムは、映像データおよび音声データを出力する出力装置と、前記映像データおよび前記音声データを再生する再生装置とを用いた電子会議を制御するプログラムであって、前記出力装置と前記再生装置との位置情報を決定する機能と、前記位置情報に基づいて、前記出力装置と前記再生装置との距離を判定する機能と、前記出力装置と前記再生装置との距離が基準距離よりも遠いと判定した場合、前記出力装置は前記再生装置に前記映像データと前記音声データとを出力する機能と、前記出力装置と前記再生装置との距離が前記基準距離よりも近いと判定した場合、前記出力装置は前記再生装置に前記音声データを出力せず、前記映像データを出力する機能と、をコンピューターに実行させることを特徴とする。
【００２６】
このような機能によれば、出力装置は、基準距離よりも遠い距離の再生装置に対しては、映像データと音声データとを出力し、基準距離よりも近い距離の再生装置に対しては、音声データは出力せずに映像データを出力する。従って、電子会議において、近い距離に所在する再生装置には音声データが出力されないため、出力装置から出力されるデータ量を減少させることができる。
【図面の簡単な説明】
【００２７】
【図１】実施形態に係る電子会議システムの概略を示す図。
【図２】プロジェクター装置の機能構成を示すブロック図。
【図３】情報処理装置の機能構成を示すブロック図。
【図４】デバイスリストの一例を示す図。
【図５】画像投射部の光学系を模式的に示す図。
【図６】電子会議システムに参加可能なデバイスを探索し、位置情報に基づく属性情報を付加したデバイスリストを表示する処理の流れを示すフローチャート。
【図７】デバイスの位置情報を取得する処理の流れを示すフローチャート。
【図８】電子会議システムに参加するデバイスに対して、データを送信する処理の流れを示すフローチャート。
【発明を実施するための形態】
【００２８】
（実施形態）
以下、実施形態に係る電子会議システムについて、図面を参照して説明する。
図１は、複数の拠点間で画像および音声を共有できる電子会議システム５の概略を示す図である。電子会議システム５は、ネットワーク２５０を介して２か所の拠点に所在するアクセスポイントＡ２６０ＡおよびアクセスポイントＢ２６０Ｂが通信可能に接続されている。アクセスポイントＡ２６０ＡおよびアクセスポイントＢ２６０Ｂは、例えば、ルーターを想定する。
アクセスポイントＡ２６０Ａには、プロジェクター装置１００Ａと、２台の情報処理装置２００Ａ，２００Ｂとが無線を介して通信可能に接続されている。プロジェクター装置１００Ａは、第１の再生装置に相当し、映像データおよび音声データを再生する。また、情報処理装置２００Ａは第１の出力装置に相当し、情報処理装置２００Ｂは第３の出力装置に相当し、何れも映像データおよび音声データを出力する。また、情報処理装置２００Ａ、２００Ｂは、映像データおよび音声データを再生することもできる。
【００２９】
また、アクセスポイントＢ２６０Ｂには、プロジェクター装置１００Ｂと、２台の情報処理装置２００Ｃ，２００Ｄとが無線を介して通信可能に接続されている。プロジェクター装置１００Ｂは、第２の再生装置に相当し、映像データおよび音声データを再生する。また、情報処理装置２００Ｃは第２の出力装置に相当し、情報処理装置２００Ｄは第４の出力装置に相当し、何れも映像データおよび音声データを出力する。また、情報処理装置２００Ｃ、２００Ｄは、映像データおよび音声データを再生することもできる。
プロジェクター装置１００Ａ，１００Ｂおよび情報処理装置２００Ａ，２００Ｂ，２００Ｃ，２００Ｄは、互いに通信可能に接続されている。
【００３０】
プロジェクター装置１００Ａと、２台の情報処理装置２００Ａ，２００Ｂとは、同一のエリア（第１の拠点）内に配置され、プロジェクター装置１００Ｂと、２台の情報処理装置２００Ｃ，２００Ｄとは、同一のエリア（第２の拠点）内に配置された態様を想定する。
情報処理装置２００Ａ，２００Ｂ，２００Ｃ，２００Ｄには、プロジェクター装置１００Ａ，１００Ｂを用いて遠隔地間で会議等を行うためのプロジェクターユーティリティープログラム２３５（図３）がインストールされている。
【００３１】
尚、本実施形態では、プロジェクター装置１００Ａ，１００Ｂは同一の機能を有し、情報処理装置２００Ａ，２００Ｂ，２００Ｃ，２００Ｄは同一の機能を有する態様を想定する。
図１では、ユーザーＰ１が情報処理装置２００Ａを操作し、情報処理装置２００ＡがユーザーＰ１の音声に基づく音声データ（第１の音声データ）や、所望の画像データ（第１の映像データ）をアクセスポイントＡ２６０Ａを介して各情報処理装置２００Ｂ，２００Ｃ，２００Ｄや、プロジェクター装置１００Ａ，１００Ｂに送信する。
この電子会議システム５では、情報処理装置２００Ａは、遠隔地であるアクセスポイントＢ２６０Ｂに接続されたプロジェクター装置１００Ｂおよび２台の情報処理装置２００Ｃ，２００Ｄに対しては、画像データと音声データとを配信することを示している。また、情報処理装置２００Ａは、ユーザーＰ１の発した音声が近傍の装置から出力されるのを回避すべく、情報処理装置２００Ａと同一のアクセスポイントＡ２６０Ａに接続された、言い換えれば、同一の拠点内であって近距離に所在するプロジェクター装置１００Ａおよび情報処理装置２００Ｂには、音声データを配信せず、画像データを配信することを示している。
【００３２】
図２は、プロジェクター装置１００（１００Ａ，１００Ｂ）の機能構成を示すブロック図である。
プロジェクター装置１００は、送信された画像データに基づく画像をスクリーンＳＣに投射する。
【００３３】
プロジェクター装置１００は、通信部１７５を備える。本実施形態では、通信部１７５は、ＷｉＦｉ（登録商標）のような無線ＬＡＮに対応する通信インターフェイスを備える。
尚、通信部１７５が備えるインターフェイスは、Ｅｔｈｅｒｎｅｔ（登録商標）、ＩＥＥＥ１３９４、ＨＤＭＩ（登録商標）、ＵＳＢ等の有線を介した接続であっても良い。
【００３４】
通信部１７５は、通信可能に接続された情報処理装置２００（２００Ａ，２００Ｂ，２００Ｃ，２００Ｄ）から送信される画像データや音声データを受信する。通信部１７５が受信した画像データは画像処理部１５２に送られる。また、通信部１７５が受信した音声データは音声処理部１８０に送られる。また、通信部１７５は、通信可能に接続された情報処理装置２００に対して各種データを送信できる。
プロジェクター装置１００は、光学的な画像の形成を行い、スクリーンＳＣに画像を投射（表示）する画像投射部５０を備える。画像投射部５０は、光源としての光源部５５、光変調部８０及び投射光学系９０を備える。
【００３５】
光源部５５は、光源駆動部１２１により駆動される。光源駆動部１２１は、内部バス１８２に接続される。光源駆動部１２１は、制御部１６０の制御に従って、光源部５５の光源を点灯及び消灯させる。光源が点灯すると出射光Ｌ１が光変調部８０に入光される。
光変調部８０には、液晶装置８５（図５）を駆動する光変調駆動部１２２が接続される。光変調駆動部１２２は、内部バス１８２に接続される。
【００３６】
光変調駆動部１２２は、画像処理部１５２から入力される表示画像データに基づいてＲ，Ｇ，Ｂの画像信号をそれぞれに生成する。光変調駆動部１２２は、生成したＲ，Ｇ，Ｂの画像信号に基づいて、液晶装置８５を駆動し、各液晶装置８５Ｒ，８５Ｇ，８５Ｂに画像を描画する。
投射光学系９０は、出射光Ｌ１が光変調部８０により変調された画像光Ｌ２をスクリーンＳＣ方向へ投射して、スクリーンＳＣ上に結像させるレンズ群を備える。また、投射光学系９０は、スクリーンＳＣの投射画像の拡大・縮小及び焦点の調整を行うズーム機構、フォーカスの調整を行うフォーカス調整機構を備えていてもよい。
尚、画像投射部５０の光学系に関する詳細は後述する。
【００３７】
プロジェクター装置１００は、操作パネル１３１及び操作処理部１３３を備える。操作処理部１３３は、内部バス１８２に接続される。
ユーザーＰ１からの操作を受け付ける操作パネル１３１には、各種の操作キーや表示画面が表示される。操作処理部１３３は、操作パネル１３１に表示された操作キーが操作されると、操作されたキーに対応したデータを制御部１６０に出力する。また、操作処理部１３３は、制御部１６０の制御に従って、操作パネル１３１に各種画面を表示させる。
また、操作パネル１３１には、操作パネル１３１への接触を検出するタッチセンサーが重ね合わされて一体形成されても良い。操作処理部１３３は、ユーザーＰ１の指等が接触した操作パネル１３１の位置を入力位置として検出し、検出した入力位置に対応したデータを制御部１６０に出力する。
【００３８】
プロジェクター装置１００は、音声処理部１８０を備える。音声処理部１８０は、送信された音声データを処理し、プロジェクター装置１００が内蔵するスピーカー１８５から音声データに基づく音声を出力する。
プロジェクター装置１００は、状態検出部１４０を備える。状態検出部１４０は、プロジェクター装置１００が内蔵するカメラ１４２が出力する信号が入力される。
状態検出部１４０は、入力された信号に基づきプロジェクター装置１００の状態を示す状態情報を生成し、制御部１６０に出力する。
カメラ１４２は、撮像光学系、ＣＣＤのような撮像素子及びインターフェイス回路等を有し、投射画像が投射されるスクリーンＳＣの周辺、即ち、投射光学系９０の投射方向を撮影する。カメラ１４２は、撮影した投射画像の画像データ信号を状態検出部１４０に出力する。
【００３９】
プロジェクター装置１００は、画像処理系を備える。画像処理系は、プロジェクター装置１００の全体を統括的に制御する制御部１６０を中心に構成され、この他に、画像処理部１５２、フレームメモリー１５５及び記憶部１７０を備える。制御部１６０、画像処理部１５２及び記憶部１７０は、内部バス１８２に接続される。
【００４０】
画像処理部１５２は、制御部１６０の制御に従って、通信部１７５から入力される画像データをフレームメモリー１５５に展開する。画像処理部１５２は、フレームメモリー１５５に展開された画像データに対して、台形補正等の形状補正処理、デジタルズーム処理、画像の色合いや明るさの調整等の処理を行う。画像処理部１５２は、制御部１６０により指定された処理を実行し、必要に応じて、制御部１６０から入力されるパラメーターを使用して処理を行う。また、画像処理部１５２は、上記のうち複数の処理を組み合わせて実行することも可能である。
画像処理部１５２は、処理後の画像データをフレームメモリー１５５から読み出し、表示画像データとして光変調駆動部１２２に出力する。
【００４１】
制御部１６０は、何れも図示は略した、ＣＰＵ（Central Processing Unit）、ＲＯＭ（Read Only Memory）及びＲＡＭ（Random Access Memory）等のハードウェアを備える。ＲＯＭは、フラッシュＲＯＭ等の不揮発性の記憶装置であり、制御プログラムやデータを格納する。ＲＡＭは、ＣＰＵのワークエリアを構成する。ＣＰＵは、ＲＯＭや記憶部１７０から読み出した制御プログラムをＲＡＭに展開し、ＲＡＭに展開された制御プログラムを実行してプロジェクター装置１００の各部を制御する。また、制御部１６０は、ＡＳＩＣ（Application Specific Integrated Circuit）等により実現されてもよい。
【００４２】
また、制御部１６０は、機能ブロックとして、投射制御部１６１および補正処理部１６３を備える。これらの機能ブロックは、何れも図示を略した、ＣＰＵと、ＲＯＭや記憶部１７０に記憶された制御プログラムと、が協働することで実現される。
制御部１６０の各機能は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現しても良く、あるいは、ハードウェアで実現される機能の一部をソフトウェアで実現しても良い。
【００４３】
記憶部１７０は、不揮発性の記憶装置であり、例えば、フラッシュメモリー、ＥＰＲＯＭ（Erasable Programmable ROM）、ＥＥＰＲＯＭ（Electrically EPROM）、ＨＤＤ（Hard Disc Drive）などの記憶装置により実現される。また、記憶部１７０は、画像投射部５０によりスクリーンＳＣに投射させる画像データや、制御部１６０が参照する各データやパラメーター等を記憶する。
【００４４】
投射制御部１６１は、画像投射部５０における画像の表示態様を調整し、スクリーンＳＣへの画像の投射を制御する。
また、投射制御部１６１は、光源駆動部１２１を制御して光源部５５の光源を点灯させ、光源部５５に対して光源の輝度を指示する。
【００４５】
補正処理部１６３は、状態検出部１４０から出力される状態情報に基づいて、補正処理を実行する。
例えば、状態情報が、プロジェクター装置１００の傾斜を示している場合、補正処理部１６３は、画像処理部１５２に対して台形補正を指示する。
電源部１９０は、外部の電源１９５から供給される電力を所定の特性値に変換し、各機能部に供給する。
図３は、情報処理装置２００の機能構成を示すブロック図である。
【００４６】
情報処理装置２００は、通信部２１０、記憶部２３０、制御部２２０、タッチパネル２４０、スピーカー２４４およびマイク（マイクロフォン）２４６を備える。
本実施形態では、情報処理装置２００は、例えば、ノート型のコンピューターや、スマートフォンのような高機能携帯電話や、タブレット端末のような多機能携帯端末を想定する。
通信部２１０は、ＷｉＦｉのような無線ＬＡＮや、Ｂｌｕｅｔｏｏｔｈ（登録商標）に対応する通信インターフェイスを備える。
尚、通信部２１０は、Ｅｔｈｅｒｎｅｔ、ＩＥＥＥ１３９４、ＨＤＭＩ、ＵＳＢ等の有線を介した接続に対応したインターフェイスを備えても良い。
【００４７】
通信部２１０は、通信可能に接続されたプロジェクター装置１００や、他の情報処理装置２００の間で画像データや音声データを送受信する。
記憶部２３０は、画像や文書を示すファイル形式のコンテンツデータや、情報処理装置２００で実行可能なアプリケーション等のプログラムデータを記憶する。本実施形態では、電子会議システム５を実現するためのプロジェクターユーティリティープログラム２３５が情報処理装置２００にインストールされ、インストールされたプロジェクターユーティリティープログラム２３５は、記憶部２３０に記憶されている。
【００４８】
本実施形態では、記憶部２３０は、例えば、フラッシュメモリー等を想定する。
タッチパネル２４０は、アプリケーションプログラムのユーザーインターフェイスを含む画像を表示し、ユーザーインターフェイスに対するユーザーの指示を受け付ける。
スピーカー２４４は、音声信号を物理振動に変換する装置であり、音楽や音声等に基づく音声信号を音波として再生して出力する。また、マイク２４６は、入力された音楽や音声等を音声信号に変換し、変換した音声信号を出力する装置である。
尚、本実施形態では、スピーカー２４４やマイク２４６は、情報処理装置２００に組み込まれた態様を想定するが、情報処理装置２００とは分離して配置し、Ｂｌｕｅｔｏｏｔｈ等を介して音声信号を送受信する態様も想定できる。
【００４９】
制御部２２０は、情報処理装置２００の各機能部の動作を制御する。
制御部２２０は、機能ブロックとして、表示制御部２２２、指示受付部２２３、音声制御部２２４およびプロジェクターユーティリティー機能部２２９を備える。
プロジェクターユーティリティー機能部２２９は、デバイスリスト管理部２２５、位置情報管理部２２６、参加デバイス管理部２２７および出力データ決定部２２８を備える。
プロジェクターユーティリティー機能部２２９は、プロジェクターユーティリティープログラム２３５が実行されるとアクティブ化され、各機能部が実現される。
【００５０】
尚、制御部２２０は、何れも図示は略した、ＣＰＵ（Central Processing Unit）、ＲＯＭ（Read Only Memory）及びＲＡＭ（Random Access Memory）等のハードウェアを備える。ＲＯＭは、フラッシュＲＯＭ等の不揮発性の記憶装置であり、制御プログラムやデータを格納する。ＲＡＭは、ＣＰＵのワークエリアを構成する。ＣＰＵは、ＲＯＭや記憶部２３０から読み出した制御プログラムをＲＡＭに展開し、ＲＡＭに展開された制御プログラムを実行してプロジェクター装置１００の各部を制御する。また、制御部２２０は、ＡＳＩＣ（Application Specific Integrated Circuit）などにより実現されてもよい。
【００５１】
また、プロジェクターユーティリティー機能部２２９を含む制御部２２０の各機能は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現しても良く、あるいは、ハードウェアで実現される機能の一部をソフトウェアで実現しても良い。
【００５２】
デバイスリスト管理部２２５は、情報処理装置２００から見て、電子会議システム５に参加可能なデバイスを探索し、探索できたデバイスの情報を図４に示すようなデバイスリスト２７０として作成し、管理する。本実施形態では、例えば、情報処理装置２００と通信可能なデバイスに対して所定のプロトコルで探索信号を送信し、返答信号に基づいてデバイスリスト２７０を作成する。
尚、デバイスは、プロジェクター装置１００や情報処理装置２００のように、ネットワーク接続が可能であり、画像や音声を出力可能な機器を想定する。このような機器としては、プロジェクター装置１００や情報処理装置２００に加え、ディスプレイ装置、スマートグラス、ヘッドマウントディスプレイ等も想定できる。
【００５３】
位置情報管理部２２６は、電子会議システム５に参加可能なデバイスが所在している位置までの距離の程度を示す位置情報を決定する。本実施形態では、情報処理装置２００から見てデバイスが所定の基準距離内に所在する場合、位置情報として「近距離」が設定される。他方で、情報処理装置２００から見てデバイスが所定の基準距離よりも遠くに所在する場合、位置情報に「遠距離」が設定される。本実施形態では、所定の基準距離は、近隣のデバイスから出力する音声が明瞭に聞こえ、ハウリング現象が生じ易くなる距離、例えば、屋内では１０ｍ程度を想定する。尚、所定の基準距離は、周囲の音量環境に応じて変更されても良く、ユーザーＰ１が情報処理装置２００を操作して変更しても良い。
位置情報を決定する方法として、以下の方法が想定できる。
第１の方法として、例えば、探索できたデバイスに対して、近距離無線通信の１つであるＢｌｕｅｔｏｏｔｈに対応する通信インターフェイスに基づいて探索信号を通信部２１０から送信し、探索信号に対する応答信号を通信部２１０が受信するか否かに基づいて決定しても良い。この場合、Ｂｌｕｅｔｏｏｔｈに対応した探索信号は微弱な電波で出力されるため、情報処理装置２００から離れたエリアには到達しない。位置情報管理部２２６は、デバイスが送信した応答信号を受信できた場合には、位置情報に「近距離」を設定する。他方で、タイムアウト、即ち、一定時間内にデバイスから応答信号を受信できない場合には、位置情報管理部２２６は、位置情報に「遠距離」を設定する。
【００５４】
また、第２の方法として、探索できたデバイスに対して生存時間（ＴＴＬ）を設定したＩＰパケットを通信部２１０から送信し、応答パケットを通信部２１０が受信するか否かに基づいて決定しても良い。この場合、ルーター等を経由する度にＴＴＬが１減少するため、情報処理装置２００から離れたエリアには到達しない。従って、デバイスが送信した応答パケットを受信できた場合には、位置情報管理部２２６は、位置情報に「近距離」を設定する。他方で、デバイスから応答パケットを受信できない場合には、位置情報管理部２２６は、位置情報に「遠距離」を設定する。
【００５５】
また、他の方法として、探索できたデバイスおよび情報処理装置２００に設定されたネットワークアドレス（ＩＰアドレス）、例えば、上位のネットワーク部、を比較することにより位置情報を決定しても良い。
また、アクセスポイント２６０から送信されるＷｉＦｉの電波を使用したＣｈｒｏｎｏｓ技術を用いて位置情報を決定しても良い。また、探索できたデバイスが同一のアクセスポイント２６０に接続されているか、否かに応じて位置情報を決定しても良い。
【００５６】
また、測位衛星である複数のＧＰＳ衛星からの衛星信号（ＧＰＳ信号）を受信して地球上の位置を検出することにより、位置情報を決定しても良い。
また、位置情報管理部２２６は、上述した複数の方法を組み合わせて、位置情報を決定しても良い。
本実施形態では、位置情報管理部２２６が決定した位置情報は、デバイスの属性情報として記憶部２３０に記憶されると共に、デバイスリスト２７０の音声出力チェックボックス２７４に反映される。
【００５７】
例えば、図４に示すように、探索できたデバイスであって、かつ、デバイス（ＰＲＪ０３）のように使用中ではなく、電子会議システム５に参加可能なデバイスのうち、デバイスリスト２７０において位置情報を示す「距離」が「遠距離」を示すデバイス（ＰＲＪ０２）は、音声の出力を決定する音声出力フラグが「Ｔｒｕｅ」に設定されると共に、音声出力チェックボックス２７４がチェックされる。
一方、探索できたデバイスであって、かつ、使用中ではなく、電子会議システム５に参加可能なデバイスのうち、「距離」が「近距離」を示すデバイス（ＰＲＪ０１、ＰＣ０１）は、音声出力フラグが「Ｆａｌｓｅ」に設定されると共に、音声出力チェックボックス２７４がチェックされない。
【００５８】
また、デバイス（ＰＲＪ０３）は、他のユーザー等に使用されている状態であり、電子会議システム５に参加できない。従って、音声出力チェックボックス２７４および参加チェックボックス２７２は選択できない状態を示している。
尚、ユーザーＰ１は、音声出力チェックボックス２７４を介してチェックの状態を変更することで、音声出力フラグが変更され、位置情報の設定を変えることができる。例えば、ユーザーＰ１は、デバイスＰＣ０１の音声出力チェックボックス２７４をチェック状態に変更することができる。同様に、ユーザーＰ１は、デバイスＰＲＪ０２の音声出力チェックボックス２７４を非チェック状態に変更することができる。
【００５９】
参加デバイス管理部２２７は、デバイスリスト２７０に登録されたデバイスの中で、遠隔地会議に参加するデバイスを管理する。参加デバイス管理部２２７は、デバイスリスト２７０に表示されたデバイスの中から遠隔地会議に参加するデバイス、即ち、参加チェックボックス２７２がチェックされているデバイスを参加するデバイスとして決定する。本実施形態では、参加デバイス管理部２２７は、探索できたデバイスであって、使用中でないデバイスに対して、初期値として、参加するデバイスとして属性情報を設定すると共に、参加チェックボックス２７２をチェックする。尚、ユーザーＰ１は、参加チェックボックス２７２を介してチェックの状態を変更することで、参加に関する属性情報の設定を変更できる。
【００６０】
参加デバイス管理部２２７は、参加チェックボックス２７２がチェックされているデバイスとの間でデータを送受信できるように接続処理を行う。
出力データ決定部２２８は、デバイスリスト２７０に基づいて、遠隔地会議においてデバイスに出力するデータを決定する。本実施形態では、出力データ決定部２２８は、参加チェックボックス２７２がチェックされているデバイスの中で、音声出力チェックボックス２７４がチェックされているデバイスに対しては、音声データと画像データの出力を決定する。他方で、出力データ決定部２２８は、参加チェックボックス２７２がチェックされているデバイスの中で、音声出力チェックボックス２７４がチェックされていないデバイスに対しては、音声データの非出力、および、画像データの出力を決定する。
【００６１】
表示制御部２２２は、デバイスリスト２７０を含むインターフェイス画面をタッチパネル２４０に表示させる。
指示受付部２２３は、タッチパネル２４０に表示したインターフェイス画面に対する指示を受け付ける。
【００６２】
音声制御部２２４は、受信した音声データを処理し、スピーカー２４４から音声データに基づく音声を出力する。また、マイク２４６が出力する音声信号に基づいて音声データを生成する。
次に、図５は画像投射部５０の光学系を模式的に示す図であり、図５を参照して光学系の概略構成を説明する。
【００６３】
画像投射部５０の光学系は光学ユニット５１に構成されている。光学ユニット５１は、光学部品用筐体５２、光源部５５、照明光学装置６０、色分離光学装置６５、リレー光学装置７０、光変調部８０および投射光学系９０を備えている。これらの各装置を構成する光学部品は光学部品用筐体５２に収納されている。
光源部５５は、光束を射出する発光管５６およびリフレクター５７を備えている。光源部５５は、発光管５６から射出された光束をリフレクター５７で反射させて射出方向を揃え、照明光学装置６０に向けて射出する。尚、照明光軸ＯＣは、光源部５５から被照明領域側に射出される光束の中心軸である。
【００６４】
照明光学装置６０はレンズアレイ６１，６２、偏光変換素子６３、重畳レンズ６４およびフィールドレンズ６９を備え、光源部５５から射出された光束に対し、照明光軸ＯＣと直交する面内での照度を均一化する機能を有する。
色分離光学装置６５はダイクロイックミラー６６，６７や反射ミラー６８を備え、照明光学装置６０から射出された光束を、赤色（Ｒ）光、緑色（Ｇ）光、青色（Ｂ）光の３色の色光に分離して３つの液晶装置８５Ｒ，８５Ｇ，８５Ｂに導光する。尚、本実施形態では、液晶装置８５Ｒ，８５Ｇ，８５Ｂは透過型の液晶パネルを採用する。
リレー光学装置７０は入射側レンズ７２、リレーレンズ７６および反射ミラー７４，７８を備える。このリレー光学装置７０は、色分離光学装置６５で分離された色光（本実施形態ではＢ光）に対し、光路の長さが他の色光の光路の長さよりも長くなるため、光の発散などによる光の利用効率の低下を防止し、液晶装置８５（本実施形態では液晶装置８５Ｂ）まで導く。
【００６５】
光変調部８０は、３つの入射側偏光板８４、３つの液晶装置８５Ｒ，８５Ｇ，８５Ｂ、３つの射出側偏光板８６およびクロスダイクロイックプリズム８８を備える。液晶装置８５Ｒ，８５Ｇ，８５Ｂは、色分離光学装置６５で分離された各色光を画像信号に応じて変調する。クロスダイクロイックプリズム８８は、液晶装置８５Ｒ，８５Ｇ，８５Ｂにより変調された各色光を合成し、投射光学系９０側に射出する。
投射光学系９０は投射レンズ９２を備え、光変調部８０で変調され合成された光束を、投射レンズ９２で拡大しスクリーンＳＣに投射することにより、画像信号に基づく投射画像がスクリーンＳＣに表示される。
次に図６、図７および図８を参照し、電子会議システム５の制御方法について説明する。
図６は、電子会議システム５に参加可能なデバイスを探索し、位置情報に基づく属性情報を付加したデバイスリスト２７０を表示する処理の流れを示すフローチャートである。
【００６６】
処理が開始されると、制御部２２０は、所定のプロトコルに基づく通信結果に基づいて、会議に参加可能なデバイスを検索し、検索できたデバイスを加えたデバイスリスト２７０を作成する（ステップＳ３００）。
次に、制御部２２０は、各デバイスの位置情報を取得する（ステップＳ３０２）。
ここで、図７は、各デバイスの位置情報を取得する処理の流れを示すフローチャートである。この場合、位置情報を取得する方法は、上述した第１の方法または第２の方法を想定する。
この処理が開始されると、制御部２２０は、探索信号を各デバイスに送信する（ステップＳ３２０）。
次に、制御部２２０は、各デバイスからの応答信号の受信を開始する（ステップＳ３２２）。
【００６７】
次に、制御部２２０は、デバイスから応答信号を受信したか、否かを判定する（ステップＳ３２４）。
ここで、デバイスから応答信号を受信したと判定した場合（ステップＳ３２４でＹｅｓ）、制御部２２０は、応答信号を解析する（ステップＳ３２６）。続いて、制御部２２０は、応答信号を送信したデバイスの位置情報に「近距離」を設定し（ステップＳ３２８）、ステップＳ３３０に進む。
他方で、デバイスから応答信号を受信していないと判定した場合（ステップＳ３２４でＮｏ）、ステップＳ３３０に進む。
ステップＳ３３０では、制御部２２０は、予め決定した基準時間に基づいてタイムアウトを判定する。
【００６８】
ここで、タイムアウトでないと判定した場合（ステップＳ３３０でＮｏ）、制御部２２０は、ステップＳ３２４に戻り、他のデバイスからの応答信号を処理する。
他方で、タイムアウトであると判定した場合（ステップＳ３３０でＹｅｓ）、制御部２２０は、応答信号の受信を終了し、処理を終了する。尚、位置情報に「近距離」が設定されなかったデバイスには、位置情報に「遠距離」が設定される。
図６に戻り、制御部２２０は、デバイスリスト２７０に登録されたデバイスを１つ抽出する（ステップＳ３０４）。
次に、制御部２２０は、抽出したデバイスに対応する位置情報に基づいて、音声出力フラグを決定する（ステップＳ３０６）。本実施形態では、位置情報に「遠距離」が設定されている場合、音声出力フラグを「Ｔｒｕｅ」に決定する。また、位置情報に「近距離」が設定されている場合、音声出力フラグを「Ｆａｌｓｅ」に決定する。
【００６９】
次に、制御部２２０は、抽出したデバイスの属性情報に音声出力フラグの値を設定する（ステップＳ３０８）。本実施形態では、音声出力フラグが「Ｔｒｕｅ」の場合、音声出力チェックボックス２７４をチェック状態とし、音声出力フラグが「Ｆａｌｓｅ」の場合、音声出力チェックボックス２７４を非チェック状態とする。
次に、制御部２２０は、デバイスリスト２７０に登録されたデバイスを全て抽出したか、否かを判定する（ステップＳ３１０）。
ここで、デバイスリスト２７０に登録されたデバイスの全てを抽出していない場合（ステップＳ３１０でＮｏ）、制御部２２０は、デバイスリスト２７０に登録された次のデバイスを抽出し（ステップＳ３１２）、ステップＳ３０６に戻る。
【００７０】
他方で、デバイスリスト２７０に登録されたデバイスの全てを抽出した場合（ステップＳ３１０でＹｅｓ）、制御部２２０は、デバイスリスト２７０をユーザーＰ１に表示し（ステップＳ３１４）、処理を終了する。
図８は、電子会議システム５に参加するデバイスに対して、データを送信する処理の流れを示すフローチャートである。
この処理が開始されると、制御部２２０は、デバイスリスト２７０に登録されたデバイスの中から、電子会議システム５に参加するデバイスを１つ抽出する（ステップＳ３５０）。
次に、制御部２２０は、抽出したデバイスの属性情報から、音声出力フラグの値を取得する（ステップＳ３５２）。
次に、制御部２２０は、取得した音声出力フラグの値に基づいて、音声の出力を判定する（ステップＳ３５４）。
【００７１】
ここで、音声を出力すると判定した場合（ステップＳ３５６でＹｅｓ）、制御部２２０は、抽出したデバイスに対して画像データと音声データの送信を開始し（ステップＳ３５８）、ステップＳ３６２に進む。
他方で、音声を出力しないと判定した場合（ステップＳ３５６でＮｏ）、制御部２２０は、抽出したデバイスに対して画像データの送信を開始し（ステップＳ３６０）、ステップＳ３６２に進む。
ステップＳ３６２では、制御部２２０は、デバイスリスト２７０に登録されたデバイスの全てを抽出したか、否かを判定する。
ここで、デバイスリスト２７０に登録されたデバイスの全てを抽出していない場合（ステップＳ３６２でＮｏ）、制御部２２０は、デバイスリスト２７０に登録された次のデバイスを抽出し（ステップＳ３６４）、ステップＳ３５２に戻る。
【００７２】
他方で、デバイスリスト２７０に登録されたデバイスの全てを抽出した場合（ステップＳ３６２でＹｅｓ）、制御部２２０は、処理を終了する。
尚、本実施形態では、情報処理装置２００Ａから音声データおよび画像データを送信する場合に限定して説明したが、同一拠点の情報処理装置２００Ｂから音声データ（第３の音声データ）および画像データ（第３の映像データ）を送信する場合も同様である。
また、第２の拠点の情報処理装置２００Ｃから第２の音声データおよび第２の映像データを送信する場合も同様である。更に、第２の拠点の情報処理装置２００Ｄから第４の音声データおよび第４の映像データを送信する場合も同様である。
また、例えば、複数の情報処理装置２００Ａ，２００Ｄから画像データを送信する場合、プロジェクター装置１００Ａ，１００Ｂは、スクリーンＳＣの投射領域を分割し、分割した投射領域に２つの画像をそれぞれ縮小して投射しても良い。
また、情報処理装置２００Ａ，２００Ｂ，２００Ｃ，２００Ｄは対等な権限を有する態様を想定したが、情報処理装置２００Ａ，２００Ｂ，２００Ｃ，２００Ｄの何れか１台のユーザーがモデレーター権限を有し、プロジェクター装置１００Ａ，１００Ｂに投射する画像を決定しても良い。
【００７３】
以上述べた実施形態によれば、以下のような効果を奏する。
（１）情報処理装置２００は、距離が離れているプロジェクター装置１００や他の情報処理装置２００に対しては、画像データと音声データとを出力し、距離が近いプロジェクター装置１００や他の情報処理装置２００に対しては、音声データは出力せずに画像データを出力する。従って、電子会議システム５において、ユーザーＰ１が情報処理装置２００に向かって話した音声は、近い距離にあるプロジェクター装置１００や他の情報処理装置２００から出力されないため、ネットワーク２５０を介して伝送されるデータ量を減少させることができる。
（２）電子会議システム５において、情報処理装置２００からプロジェクター装置１００や他の情報処理装置２００までの距離に基づいて音声データの出力を決定するため、ハウリングの発生を抑制できる。
【００７４】
以上、本発明を図示した実施形態に基づいて説明したが、本発明は、本実施形態に限定されるものではなく、以下に述べるような変形例も想定できる。
（１）位置情報を決定する方法として、一方のデバイスから所定の周波数帯域（例えば、超音波帯域）の音波信号を周囲に送出し、他方のデバイスが検知できた場合、一方のデバイスに自身のＩＤ情報を含めた音波信号で応答する態様も想定できる。
（２）プロジェクター装置１００は、液晶パネルを用いた方式には限定されず、ＤＬＰ（Ｄｉｇｉｔａｌ  Ｌｉｇｈｔ  Ｐｒｏｃｅｓｓｉｎｇ）方式やＬＣＯＳ（Ｌｉｑｕｉｄ  Ｃｒｙｓｔａｌ  Ｏｎ  Ｓｃｒｅｅｎ）方式等の他の方式も想定できる。
（３）本実施形態では、拠点におけるデバイスは対等な関係を想定したが、これには限定されない。例えば、同じ拠点内で他のデバイス、例えば、プロジェクター装置１００を管理する情報処理装置２００を定義しても良い。この場合、デバイスリスト２７０には情報処理装置２００のみが表示され、情報処理装置２００に送信された音声データや画像データは、情報処理装置２００を経由してプロジェクター装置１００に送信されても良い。
また、以上のような手法を実施する装置は、単独の装置によって実現される場合もあれば、複数の装置を組み合わせることによって実現される場合もあり、各種の態様を含むものである。
【符号の説明】
【００７５】
５…電子会議システム、５０…画像投射部、５１…光学ユニット、５２…光学部品用筐体、５５…光源部、５６…発光管、５７…リフレクター、６０…照明光学装置、６１，６２…レンズアレイ、６３…偏光変換素子、６４…重畳レンズ、６５…色分離光学装置、６６，６７…ダイクロイックミラー、６８…反射ミラー、６９…フィールドレンズ、７０…リレー光学装置、７２…入射側レンズ、７４，７８…反射ミラー、７６…リレーレンズ、８０…光変調部、８４…入射側偏光板、８５…液晶装置、８５Ｒ，８５Ｇ，８５Ｂ…液晶装置、８６…射出側偏光板、８８…クロスダイクロイックプリズム、９０…投射光学系、９２…投射レンズ、１００，１００Ａ，１００Ｂ…プロジェクター装置、１２１…光源駆動部、１２２…光変調駆動部、１３１…操作パネル、１３３…操作処理部、１４０…状態検出部、１４２…カメラ、１５２…画像処理部、１５５…フレームメモリー、１６０…制御部、１６１…投射制御部、１６３…補正処理部、１７０…記憶部、１７５…通信部、１８０…音声処理部、１８２…内部バス、１８５…スピーカー、１９０…電源部、１９５…電源、２００，２００Ａ，２００Ｂ，２００Ｃ，２００Ｄ…情報処理装置、２１０…通信部、２２０…制御部、２２２…表示制御部、２２３…指示受付部、２２４…音声制御部、２２５…デバイスリスト管理部、２２６…位置情報管理部、２２７…参加デバイス管理部、２２８…出力データ決定部、２２９…プロジェクターユーティリティー機能部、２３０…記憶部、２３５…プロジェクターユーティリティープログラム、２４０…タッチパネル、２４４…スピーカー、２４６…マイク、２５０…ネットワーク、２６０…アクセスポイント、２７０…デバイスリスト、２７２…参加チェックボックス、２７４…音声出力チェックボックス、２６０Ａ，２６０Ｂ…アクセスポイント、Ｌ１…出射光、Ｌ２…画像光、Ｐ１…ユーザー。
【図１】
2018164203.tif 000003
【図２】
2018164203.tif 000004
【図３】
2018164203.tif 000005
【図４】
2018164203.tif 000006
【図５】
2018164203.tif 000007
【図６】
2018164203.tif 000008
【図７】
2018164203.tif 000009
【図８】
2018164203.tif 000010